(57)【要約】【課題】銃床を傷付けることなく、かつ正確に頬付け部を調整して確りと銃床に固定できる可変ベンドを提供する。【解決手段】銃床６の基端面６ａと肩パッド７との間に、パッドベース９を固定する。銃床６の上部分６ｂの形状に合せて接合部１５を塑性変形し、該接合部を銃床上部分に接着すると共に、パッドベース９の連結部１３に取付けプレート１６を固定して、ベンドフレーム１０を銃床に固定する。該ベンドフレームにチィークピース１１を高さ調整自在に固定する。【選択図】図１
2010190547.tif 000002
【特許請求の範囲】
【請求項１】
銃身及び銃床を有する銃の銃床に取付けられる可変ベンドであって、
前記銃床の基端面と肩パッドとの間に挟持され得る挟持部、及び該挟持部の上端に形成され、連結用の溝を有する連結部を備えたパッドベースと、
前記銃床の上部分に接合し得る接合部、及び該接合部の幅方向中央部にて上方に立上るように形成され、複数の長孔を有する取付けプレートを備えたベンドフレームと、
前記取付けプレートに嵌合し得る溝を有するチィークピースと、を備え、
前記パッドベースの挟持部を前記銃床の基端面と前記肩パッドとの間に固定し、前記連結部の溝に前記取付けプレートを嵌合して固定すると共に前記接合部を前記銃床上部分に固定して、前記ベンドフレームを前記銃床に取付け、前記チィークピースを、前記溝に前記ベンドフレームの取付けフレームを嵌合して前記長孔及びねじにより高さ調整して固定する、
ことを特徴とする銃に用いる可変ベンド。
【請求項２】
前記ベンドフレームの接合部は、幅方向外側から前記取付けプレートに向って延びる多数の溝を形成して、長手方向に対して多数に分割された分割片からなり、
これら各分割片を、銃床上部分の形状に合せて塑性変形可能に構成した、
請求項１記載の銃に用いる可変ベンド。
【請求項３】
前記パッドベースの挟持部に、上下方向の凹溝付き長孔を形成し、該凹溝付き長孔にスライド自在にスライドナットを嵌挿し、
前記パッドベースの連結部を、前記ベンドフレームの取付けプレートに長孔及びねじにより上下方向に調整自在に固定し、
前記パッドベースの挟持部を前記銃床の基端面に固定し、該挟持部に、前記スライドナットにねじを螺着することにより前記肩パッドを上下方向に調整自在に固定してなる、
請求項１又は２記載の銃に用いる可変ベンド。
【請求項４】
前記ベンドフレームの取付けプレートにおける前記パッドベースとの連結部反対側端部分に、前記銃床との間で紐、バンド等を巻締め得る凹部を形成してなる、
請求項１ないし３のいずれか記載の銃に用いる可変ベンド。
【請求項５】
請求項１ないし４のいずれか記載の可変ベンドを前記銃床に取付け、
銃身に、該銃身より所定高さ位置にて該銃身に沿って延びる着脱自在なハイリブを取付けてなる、銃。
【請求項６】
前記ハイリブは、前記銃身に形成されたリブを挟んで該銃身に固定される複数のマウント部と、
前記マウント部の上部に長孔及びねじにより上下方向に調整自在に固定されるトップリブ部と、を備え、
前記複数のマウント部を幅方向に２分割されたプラスチック材料で成形し、前記トップリブ部を断面Ｔ字状のアルミ材料にて形成し、
前記２分割された各マウント部が、前記銃身のリブ及び前記トップリブの下方向に形成されたフレームを挟持して固定されてなる、
請求項５記載の銃。
【請求項７】
前記複数のマウント部の内の先端側のマウント部に、銃を地面に置く際に接地し得る座部材を突出して固定してなる、
請求項５又は６記載の銃。
【請求項８】
前記トップリブ部の上面は、艶消し処理が施されてなる、
請求項５ないし７のいずれか記載の銃。
【発明の詳細な説明】
【技術分野】
【０００１】
本発明は、射撃競技用、狩猟用の銃に係り、詳しくは、頬付けを適合するために銃床に付設する可変ベンド、特にハイリブを用いた銃に適用して好適な可変ベンド並びにそれを用いた銃に関する。
【背景技術】
【０００２】
一般に、射撃競技（トラップ、スキート、ダブルトラップ等）用及び狩猟用銃、特に散弾銃を用いる場合にあっては、射撃はほんの一瞬で勝負が決まってしまい、射撃姿勢をとったときの頬付け、肩付けは、無理なく狙い線にのせるために重要な意味を有する。射手の個人個人に体格の相違があり、顔の違い、射撃姿勢の個々の癖、好みの違いがあるが、一般の既製銃では、銃床は、ユーザの最大公約数的な、いわゆる規格寸法からなっていた。
【０００３】
近時、照準視界が広くなり、特にクレー射撃等の競技用銃として有利に機能するとして、ハイリブが用いられており、ハイリブ構造の中には通常のリブに後付けでハイリブを付設するものも案出されている。
【０００４】
従来、銃床の上部分を切断して、該切断部分に上下方向に移動可能でかつ固定自在にチィークピース又は肩パッドと一体のチィークピースを設けた銃床が案出されている（特許文献１，２，３参照）。また、銃床の基端に凹所を形成し、該凹所にスライド受けを嵌込み、該スライド受けに、肩パッドを有するスライダを上下方向移動自在に係合し、該肩パッド及びスライダからなる床尾板をねじ止めした銃床が案出されている（特許文献４）。
【先行技術文献】
【特許文献】
【０００５】
【特許文献１】特開平５−２１５４９８号公報
【特許文献２】特開平８−１２１９９４号公報
【特許文献３】米国特許第５，３９２，５５３号公報
【特許文献４】特開２００３−３２２４９７号公報
【発明の概要】
【発明が解決しようとする課題】
【０００６】
上記従来の技術のものは、チィークピース、チィークピースと肩パッド又は肩パッドを銃床に取付けるため、銃床の上部分及び／又は基端面部分を切り取って、該切り取った部分を加工する必要があり、射撃手又は対象競技に合せたカスタム化された銃となり、かつ一度加工すると元に戻すことはできない。このため、個人の専用となって、銃としての商品価値を低下すると共に、大事な銃を傷付けてしまうとの心情的躊躇から、少数の競技選手にしか普及していない。
【０００７】
また、上記取外し自在なハイリブを取付けた場合、該高くなったリブに合せて、頬付け部も高くする（ハイベンド）必要があるが、ハイリブが取り外し自在である以上、上記元に戻せない銃床部分のカスタマイズとはマッチングせず、軽量で銃身自身をハイリブとしたものと同等の性能を有するアタッチメントハイリブを開発しても、普及の妨げとなってしまう。
【０００８】
また、伸縮性の材料からなる輪状のストックガードを銃床に巻付け、銃床上部との間にスポンジからなる間材を入れてベンド調整するものもあるが、これではベンド位置が安定せず、正確な弾着を得ることができない。
【０００９】
そこで、本発明は、銃床を傷付けることなく、かつ正確に頬付け部（ベンド）を調整して確りと銃床に固定でき、もって上述した課題を解決した可変ベンド並びにそれを用いた銃を提供することを目的とするものである。
【課題を解決するための手段】
【００１０】
本発明は、銃身（５）及び銃床（６）を有する銃（１）の銃床に取付けられる可変ベンド（２）であって、
前記銃床（６）の基端面（６ａ）と肩パッド（７）との間に挟持され得る挟持部（１２）、及び該挟持部の上端に形成され、連結用の溝（１３ｄ）を有する連結部（１３）を備えたパッドベース（９）と、
前記銃床（６）の上部分（６ｂ）に接合し得る接合部（１５）、及び該接合部の幅方向中央部にて上方に立上るように形成され、複数の長孔（２９）を有する取付けプレート（１６）を備えたベンドフレーム（１０）と、
前記取付けプレート（１６）に嵌合し得る溝（４１）を有するチィークピース（１１）と、を備え、
前記パッドベース（９）の挟持部（１２）を前記銃床（６）の基端面（６ａ）と前記肩パッド（７）との間に固定し、前記連結部（１３）の溝（１３ｄ）に前記取付けプレート（１６）を嵌合して固定すると共に前記接合部（１５）を前記銃床上部分（６ｂ）に固定して、前記ベンドフレーム（１０）を前記銃床（６）に取付け、前記チィークピース（１１）を、前記溝（４１）に前記ベンドフレーム（１０）の取付けフレーム（１６）を嵌合して前記長孔（２９）及びねじにより高さ調整して固定する、
ことを特徴とする銃に用いる可変ベンドにある。
【００１１】
前記ベンドフレーム（１０）の接合部（１５）は、幅方向外側から前記取付けプレート（１６）に向って延びる多数の溝（２６）を形成して、長手方向に対して多数に分割された分割片（１５ａ）からなり、
これら各分割片（１５ａ）を、銃床上部分（６ｂ）の形状に合せて塑性変形可能に構成した。
【００１２】
前記パッドベース（９）の挟持部（１２）に、上下方向の凹溝（２２）付き長孔（２１）を形成し、該凹溝付き長孔にスライド自在にスライドナット（２３）を嵌挿し、
前記パッドベースの連結部（１３）を、前記ベンドフレーム（１０）の取付けプレート（１６）に長孔（２７）及びねじにより上下方向に調整自在に固定し、
前記パッドベース（９）の挟持部（１２）を前記銃床（６）の基端面（６ａ）に固定し、該挟持部（１２）に、前記スライドナット（２３）にねじを螺着することにより前記肩パッド（７）を上下方向に調整自在に固定してなる。
【００１３】
前記ベンドフレーム（１０）の取付けプレート（１６）における前記パッドベース（９）との連結部反対側端部分に、前記銃床との間で紐、バンド等を巻締め得る凹部（３０）を形成してなる。
【００１４】
本発明は、前記可変ベンド（２）を前記銃床（６）に取付け、
銃身（５）に、該銃身より所定高さ位置にて該銃身に沿って延びる着脱自在なハイリブ（３）を取付けてなる、ことを特徴とする銃（１）にある。
【００１５】
前記ハイリブ（３）は、前記銃身（５）に形成されたリブ（５ａ）を挟んで該銃身に固定される複数のマウント部（１７ａ，１７ｂ，１７ｃ）と、
前記マウント部の上部に長孔（５７）及びねじにより上下方向に調整自在に固定されるトップリブ部（１９）と、を備え、
前記複数のマウント部（１７…）を幅方向に２分割されたプラスチック材料で成形し、前記トップリブ部（１９）を断面Ｔ字状のアルミ材料にて形成し、
前記２分割された各マウント部が、前記銃身のリブ（５ａ）及び前記トップリブの下方向に形成されたフレーム（１９ｂ）を挟持して固定されてなる。
【００１６】
前記複数のマウント部の内の先端側のマウント部（１７ａ）に、銃を地面に置く際に接地し得る座部材（６０）を突出して固定してなる。
【００１７】
前記トップリブ部（１９）の上面（Ｕ）は、艶消し処理が施されてなる。
【００１８】
なお、上記カッコ内の符号は、図面と対照するためのものであるが、これにより特許請求の範囲記載の構成に何等影響を及ぼすものではない。
【発明の効果】
【００１９】
請求項１に係る本発明によると、ベンドフレームは、その取付けプレートの後端部分をパッドベースの連結部に、その接合部を銃床の上部分に固定して銃床に確実に固定され、該ベンドフレームの取付けプレートに嵌合して、長孔及びねじにより高さを調整してチィークピースが固定されるので、容易に本可変ベンドを銃床に取付けることにより、射手及び銃に適合した頬付け位置を設定することができ、一般の銃が安価にカスタム銃と同様な性能、特に射撃競技用銃としての性能を有す銃とすることができる。
【００２０】
そして、パッドベースは、銃床の基端面と肩パッドとの間に挟んで固定され、ベンドフレームの接合部は、銃床の上部分に接合して接着等により固定されるので、銃床に特別な加工を施すことなく、可変ベンドを取付けることができ、かつ可変ベンドが不要になった場合、可変ベンドを取外して元の銃に戻すことができる。
【００２１】
請求項２に係る本発明によると、ベンドフレームの接合部は、分割片からなり、人力により銃床上部分の形状に合せて容易に塑性変形することができ、銃の相違に拘らず、接合部を銃床上部分の形状に適合して密着することができ、接着等により銃床に容易かつ確実に固定することができる。
【００２２】
請求項３に係る本発明によると、スライドナットを有するパッドベースの挟持部を銃床基端面に固定し、上記スライドナットにより上下方向自在に肩パッドを固定し得るので、肩パッドの位置を射手の体格、銃の種類及び上記可変ベンドの位置等に合せて容易に調整することができ、肩パッドを射手の肩位置に適合して射撃性能を向上することができる。
【００２３】
また、一般に、肩パッドは、２個の木ねじにより銃床基端面に固定されているが、その取付け位置は、メーカ、国等によりまちまちであり、上記スライドナットにより肩パッド本来の木ねじ位置に合せて、該肩パッドに新たな孔をあけることなくそのまま用いることができ、肩パッドを含めて銃床を傷付けることなく本可変ベンドを取付け、かつ取外すことにより元の銃に戻すことができる。
【００２４】
請求項４に係る本発明によると、ベンドフレームに凹部を形成して、該凹部を用いて紐、バンドを銃床に巻締めることにより、ベンドフレームを、接合部の接着に際しての仮止めとして、又は接合部の接着と共に又は該巻締め単独にて銃床に固定することができる。
【００２５】
請求項５に係る本発明によると、着脱自在なハイリブを銃身に取付けた銃の銃床に、本可変ベンドを着脱自在に取付けたので、ハイリブによる視界の広がりにより、射撃性能、特にクレー射撃の性能を向上することができるものでありながら、一般の銃に戻す場合は、上記可変ベンド及びハイリブを取外すだけで、銃に傷を残すことなく元の銃に戻すことができる。
【００２６】
請求項６に係る本発明によると、ハイリブは、例えばガラス繊維入りのポリカーボネート等のプラスチックからなる複数のマウント部と、アルミ製のトップリブ部からなるので、必要な強度を保持しつつ軽量化を実現することができ、該ハイリブを取付けた銃の発射時の慣性負荷を大幅に軽減することができ、かつトップリブの上下方向位置が調整自在となっているので、前記可変ベンドによるベンド調整と相俟って、正確かつ容易に狙い線の調整及び着弾点調整を行うことができ、これらにより、安価なアタッチメントを、銃本体を加工することなく銃に付設することができ、高価なカスタム銃と同等な性能を得ることができる。
【００２７】
また、各マウント部は、２分割されており、それらを銃身のリブに挟むことにより取付けると共に、プラスチックの可撓性によりトップリブ部のフレームにも容易に挟むことができ、銃身リブの幅が相違していても、本ハイリブを容易に取付けることができる。
【００２８】
請求項７に係る本発明によると、射撃待ち等により銃を置く際、ハイリブ先端に突出して取付けた座部材が接地するので、銃口部分を汚したり傷付けたりすることを防止できる。
【００２９】
請求項８に係る本発明によると、ハイリブのトップリブ部上面は、ショットブラスト、サンドブラスト等の艶消し処理が施されているので、狙う際の反射が妨げられ、狙い性能を向上することができる。
【図面の簡単な説明】
【００３０】
【図１】本発明に係る可変ベンド及びハイリブを分解した状態の銃を示す正面図。
【図２】可変ベンド及びハイリブを装着した状態の銃を示す正面図。
【図３】可変ベンドのパッドベースを示す図で、（Ａ）は正面図、（Ｂ）は側面図。
【図４】可変ベンドのベンドフレームを示す図で、（Ａ）は正面図、（Ｂ）は平面図、（Ｃ）は側面図。
【図５】可変ベンドのチィークピースを示す図で、（Ａ）は（Ｂ）のＡ−Ａ線による断面図、（Ｂ）は底面図、（Ｃ）は側面図。
【図６】ハイリブ全体を示す正面図。
【図７】ハイリブのフロントマウント部を示す図で、（Ａ）は正面図、（Ｂ）は平面図、（Ｃ）は側面図。
【図８】ハイリブのミドルマウント部を示す図で、（Ａ）は正面図、（Ｂ）は平面図、（Ｃ）は側面図。
【図９】ハイリブのリヤマウント部を示す図で、（Ａ）は正面図、（Ｂ）は平面図、（Ｃ）は側面図。
【図１０】ハイリブのトップリブ部を示す図で、（Ａ）は平面図、（Ｂ）は正面図、（Ｃ）は拡大側面図。
【図１１】座部材を示す図で、（Ａ）は平面図、（Ｂ）は正面図、（Ｃ）は左側面図、（Ｄ）は右側面図。
【発明を実施するための形態】
【００３１】
以下、図面に沿って、本発明の実施の形態を説明する。図１は、既製の銃１に着脱自在に取付け得る可変ベンド２、ハイリブ３を取外した状態を示す図であり、図２は、可変ベンド２及びハイリブ３を組付けた状態の銃１’を示す。
【００３２】
既製の銃（上下二連銃）１は、銃身５と銃床６と図示しない機関部を有し、図１は、銃床６の基端面６ａから肩パッド７を取外した状態を示す。可変ベンド２は、パッドベース９とベンドフレーム１０とチィークピース１１とからなり、パッドベース９は、銃床の基端面６ａと肩パッド７との間に挟まれて固定される挟持部１２と、該挟持部上端に一体に形成される連結部１３とを有する。ベンドフレーム１０は、銃床６の上部分６ｂに接合し得る接合部１５と、該接合部と一体に形成される取付けプレート１６とを有し、チィークピース１１は、前記取付けプレート１６に上下方向調整自在に固定される。
【００３３】
ハイリブ３は、フロントマウント部１７ａ、リヤマウント部１７ｂ及び３個のミドルマウント部１７ｃと、これらマウント部の上端に亘って固定されるトップリブ部１９とを有し、前記各マウント部１７ａ，１７ｂ，１７ｃは、それぞれ銃身５に形成されているリブ５ａに固定される。トップリブ部１９の先端には、本出願と同一発明（考案）者及び同一出願人よる照準装置２０（実用新案登録第３０４３５２０号参照）が取付けられている。該照準装置２０は、アクリル材等の着色された透光性部材を後方の筒部から覗くことにより、移動する目標に照準する。なお、該照準装置２０は、それを取付けることにより照準精度が向上して好ましいが、取付けなくてもよい。
【００３４】
前記パッドベース９は、図３に示すように、銃床６の基端面６ａと平面視［（Ｂ）参照］略々同じ形状の挟持部１２と、該挟持部の上端部において正面視［（Ａ）参照］前方に延びる連結部１３とからなり、前記挟持部１２には上下に２個の長孔２１，２１と、これら長孔の前方側周囲に形成される凹溝２２，２２とを有している。該凹溝２２及び長孔２１には、それぞれスライドナット２３，２３が嵌挿されている。スライドナット２３は、長円形状のカラー２３ａと、円筒形状の雌ねじ部２３ｂとを有し、カラー２３ａが凹溝２２に嵌合すると共に雌ねじ部２３ｂが長孔２１に嵌合して、前記挟持部１２に上下方向スライド自在に嵌込まれている。
【００３５】
前記連結部１３は、上部の左右側面がテーパ面１３ａ，１３ａとなっていると共に、下面が銃床上部分に沿うようにアール面１３ｂとなっており、幅方向中央部に上側平坦面１３ｃから下側アール面に抜ける切り溝１３ｄが形成されている。更に、左右側面１３ｅに貫通して孔が形成されており、該孔の一方がねじ孔１３ｆ１であり、他方が６角棒スパナ用の孔を有するボルト頭を嵌入し得る段付き孔１３ｆ２になっている。
【００３６】
そして、前記パッドベース９の挟持部１２は、前記スライドナット２３を上下の凹溝付き長孔２１に嵌込んだ状態で、該凹溝２２側を銃床側にして基端面６ａに両面粘着テープ及び／又は木ねじにより固定される。該銃床６に固定された挟持部１２の銃床基端面６ａの反対側面に肩パッド７がボルト２５，２５をスライドナット２３，２３に螺着することにより固定される。この際、スライドナット２３，２３は、上下の長孔２１及び凹溝２２に沿って上下方向に調整自在であり、肩パッド７は、ボルト２５，２５をスライドナット２３，２３に螺合して、射撃手の体型、好み、癖、並びに後述するチィークピース１１の高さ（可変ベンドの調整）及びハイリブ３の有無等によりその位置を調整し、適合した位置にてボルト２５を締付けることにより銃床６に固定される。また、一般に、肩パッド７の銃床基端面６ａへの固定は、上下２本の木ねじにより固定されており、かつヨーロッパタイプ、アメリカタイプ又はメーカにより上記木ねじの間隔が異なるが、上記パッドベース９は、上下２個のスライドナット２３，２３がそれぞれ移動自在であるので、木ねじ間隔がどのような銃であっても、本来の肩パッド７をそのまま用いて、かつその木ねじの孔に上記ボルト２５，２５を差込んで、そのままの状態で（何等加工を施さず）肩パッド７を上下高さ位置を調整して固定し得る。
【００３７】
ベンドフレーム１０は、図４に示すように、アルミ材料からなり、アール状に左右幅方向に延びる接合部１５と、該接合部の幅方向中央にて立上る取付けプレート１６とからなる。接合部１５は、中央部分から左右幅方向外側に向って多数の切り溝２６…が形成されており、長手方向に対して多数に分割された分割片１５ａ…からなる。これら分割片１５ａは、アルミ等の金属材料の薄片により形成されることと相俟って、手指で容易に塑性変形され、銃床６の上部分６ｂのアール形状に合せて変形し得る。取付けプレート１６は、後端部分上面がテーパ面１６ａとなっていると共に、上下方向の長孔２７が形成されており、かつ所定間隔離れて２個の上下方向の長孔２９，２９が形成されている。更に、先端側上面に凹部３０が形成されている。
【００３８】
前記ベンドフレーム１０は、接合部１５の分割片１５ａを銃床の上部分アール面６ｂに合せて塑性変形し、該接合部１５を銃床上部分６ｂに両面粘着テープ等で接着固定される。なおこの際、凹部３０に、銃床との間に紐、バンド、ゴムバンド等を巻締めて、接着時の仮止めをすることにより、正確かつ確実に銃床６の適正位置にベンドフレーム１０を固定することができる。この場合、上記接合部の接着完了後、バンド等の巻締め部材は取外される。また、仮使用又は銃床に接着痕を残したくない等の理由により、両面テープ等による接着をしないで、上記凹部３０により銃床６との間でしっかりとバンド等を巻締めて、ベンドフレーム１０の前部を銃床に固定して用いることも可能である。
【００３９】
一方、前記ベンドフレーム１０の取付けプレート１６の後端部分は、前記パッドベース連結部１３の切り溝１３ｄに嵌込まれ、ボルト（図示せず）を後部長孔２７に貫通して、ねじ孔１３ｆ１及び段付き孔１３ｆ２に螺合して固定される。これにより、ベンドフレーム１０の後端部分が、前記銃床基端面に固定したパッドベース９に固定される。従って、ベンドフレーム１０は、接合部１５が銃床の上部分アール面６ｂに合せて塑性変形すると共に固定され、かつパッドベース９にボルトにより固定される。この際、取付けプレート１６の後部長孔２７は、幅広になっており、銃の違いにより、銃床基端面に固定されるパッドベース９との間隔に微妙なズレを生じるが、上記長孔２７により上記ズレを融通し、かつ接合部１５が分割片１５ａに基づく塑性変形により銃床上部分に整合することが相俟って、どのような銃にでも、確実にベンドフレーム１０を銃床の適正位置に確りと固定することができる。
【００４０】
チィークピース１１は、図５に示すように、プラスチックス又は木材からなり、断面が略々半円形状からなり、かつ先端側両側面が先細状となるようにテーパ面１１ａ，１１ａとなっている。更に、下面側中央部分は、刳り貫かれて空洞部３２，３３，３５になっており、先端側が中実部３６になっていると共に、後端面及び中間２箇所が左右側面１１ｃ，１１ｃを結ぶ橋絡中実部３７，３９，４０になっている。そして、上記橋絡中実部の中央部分には切り溝４１が形成されており、かつ中間の２箇所の橋絡中実部３９，４０には６角孔頭部を有するボルト用のねじ孔３９ａ，４０ａ、及び段付き孔３９ｂ，４０ｂが形成されている。
【００４１】
前記チィークピース１１は、切り溝４１を前記ベンドフレーム１０の取付けプレート１６に嵌込み、その長孔２９，２９を貫通するようにしてボルトを前記ねじ孔３９ａ，４０ａ、段付き孔３９ｂ，４０ｂに螺合して、ベンドフレーム１０に固定される。この際、前記長孔２９，２９により、チィークピース１１の高さ及び前後方向角度が調整され、ボルトを６角棒スパナで締付けることにより固定される。これにより、確りと銃床に固定されるベンドフレーム１０に適正な形状のチィークピース１１が頬付け位置及び狙い線を調整されて確実に固定され、素速い操作でチィークピース１１に頬付けしても、チィークピースが倒れたりズレたりすることはなく、正確な狙い線及び適正な肩パッド７の密着により、正確で素速い射撃が可能となる。
【００４２】
ついで、上述した本可変ベンド２と適正にマッチングしたハイリブについて、図６〜図１０に沿って説明する。
【００４３】
ハイリブ３は、図６に示すように、ガラス入りポリカーボネート製のマウント部とアルミ製のトップリブ部とからなり、マウント部は、フロントマウント部１７ａ、リヤマウント部１７ｂ及び３個のミドルマウント部１７ｃ，１７ｃ，１７ｃからなる。上記各マウント部は、左右鏡面対称からなる２個の半片からなり、これら半片を合せて銃のリブ５ａとトップリブ部１９のフレーム１９ｂを挟み込んで、ハイリブ３が銃身５に固定される。
【００４４】
フロントマウント部１７ａは、図７に示すように、下連結部４２、上連結部４３、前後の柱部４５，４６及び中間柱部４７からなり、正面視［（Ａ）参照］４角形及び３角形を合せた形状からなる。下部連結部４２は、鉤状からなり、左右の半片を合せて銃身のリムを挟持し得るアリ溝形状となる。また、下部連結部４２及び上部連結部４３は、ボルト及びナット用の座４８…及び孔４９…が形成されている。なお、図７〜図９は、各マウント部の右半片のみを示し、左半片は鏡面対象からなるので省略する。
【００４５】
３個のミドルマウント部１７ｃは、図８に示すように、正面視［（Ａ）参照］３角形状からなり、同様の鉤状の下部連結部５０及び前後の柱部５１，５２及びボルト、ナット用の座４８及び孔４９を有する。リヤマウント部１７ｂは、図９に示すように、正面視［（Ａ）参照］斜面の長い３角形状からなり、同様の鉤状の下部連結部５３、小さな勾配の後柱部５５及び垂直状の前柱部５６及びボルト、ナット用の座４８及び孔４９を有する。
【００４６】
トップリブ部１９は、図１０に示すように、側面視［（Ｃ）参照］Ｔ字状からなり、トップリブ１９ａの上面Ｕは、ショットブラスト又はサンドブラスト等の艶消し処理が施されており、フレーム１９ｂには複数個の長孔５７…が形成されている。前記各マウント部１７ａ，１７ｂ，１７ｃは、それぞれ半片を合せて、その上部の取付け部にフレーム１９ｂを、挟むようにしてボルトを各長孔５７に貫通させてナットで締付けてトップリブ部１９を連結する。そして、各マウント部の下連結部４２，５０，５３の左右半片により銃身のリブを挟んで、ボルト及びナットを締付けることにより、ハイリブ３が銃身５に固定される。この際、トップリブ部１９は長孔５７により高さ及び前後方向角度が調整され、担点調整及び着弾調整が可能となる。また、各マウント部１７ａ，１７ｂ，１７ｃは、可撓性を有するプラスチックからなり、各柱部が弾性変形して、トップリブ部１９のフレーム１９ｂを挟持すると共に、銃身のリブ幅が相違してもリブ５ａを挟持して固定することができ、大部分の銃に本ハイリブ３を取付けることが可能である。
【００４７】
トップリブ部１９の先端には、前述した本発明者考案による照準装置２０を取付けてもよく、またフロントマウント部１７ａの先端に、図１１に示す座部材６０を取付けることが可能である。座部材６０は、プラスチックからなり、一端に長円状の接地部６１を有し、他端に抜止め用の膨出部６２を有し、それらの間に薄肉の挟持部６３を有する。該座部材６０は、フロントマウント部１７ａの前柱部４５の両半片の間にその挟持部６３が挟まれ、膨出部６２及び接地部６１により抜止めされて装着される。接地部６１は、銃身より突出した状態となり、待ち時間等で銃身を下にして置く際に、座部材６０の接地部６１が接地して銃を支える。
【００４８】
前記可変ベンド２及び前記ハイリブ３を銃１に取付けることにより、ハイリブ及びハイベンドが施されたカスタム銃と同等な性能を有する銃１’（図２参照）となる。ハイリブ３は、プラスチック製の複数のマウント部及びアルミ製のトップリブ部からなり、軽量で銃のバランスを変えることなく、かつ各マウント部は、適度の弾力性があり、発射時の衝撃を吸収し、発射時の貫性負荷を減少することができる。また、トップリブ部は、各マウント部に対して上下方向の調整でき、担点及び着弾点の微調整が可能であり、射撃精度を向上することができる。
【００４９】
前記可変ベンド２は、上記ハイリブ３にマッチングしてハイベンド位置にあって、かつその高さ及び狙い線を調整可能であり、またチィークピース１１は、素速くかつ比較的荒い頬付け操作であっても倒れたりズレたりすることがなく、射撃手に合った適正な頬付け位置を常に確保することができる。また、前記可変ベンド２は、銃本体に傷付けることなく取付けることができ、上記取付け取外し可能なハイリブ３と相俟って、不要な場合、元の銃１（図１参照）に戻すことができる。
【００５０】
なお、本可変ベンドは、上記ハイリブと共に用いることにより好適であるが、必ずしもハイリブと共に用いる必要はなく、例えばスコープ装着銃や各種光学照準装着銃に用いてもよく、また通常の銃に、本可変ベンドのみを用いてもよい。
【符号の説明】
【００５１】
１      銃
１’    可変ベンド及びハイリブを取付けた銃
２      可変ベンド
３      ハイリブ
６      銃床
６ａ    基端面
６ｂ    上部分
７      肩パッド
９      パッドベース
１０    ベンドフレーム
１１    チィークピース
１２    挟持部
１３    連結部
１３ｄ  （切り）溝
１５    接合部
１５ａ  分割片
１６    取付けプレート
１７ａ  フロントマウント部
１７ｂ  リヤマウント部
１７ｃ  ミドルマウント部
１９    トップリブ部
２１    長孔
２２    凹溝
２３    スライドナット
２７    長孔
２９    長孔
３０    凹部
４１    （切り）溝
５７    長孔
６０    座部材
【図１】
2010190547.tif 000003
【図２】
2010190547.tif 000004
【図３】
2010190547.tif 000005
【図４】
2010190547.tif 000006
【図５】
2010190547.tif 000007
【図６】
2010190547.tif 000008
【図７】
2010190547.tif 000009
【図８】
2010190547.tif 000010
【図９】
2010190547.tif 000011
【図１０】
2010190547.tif 000012
【図１１】
2010190547.tif 000013